【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
ユーザからのジョブのキャンセル要求を受信する第１の受信手段と、
前記第１の受信手段で受信したキャンセル要求の対象となるジョブが、複数の画像処理装置の機能を連携することにより処理される仮想ジョブか否かを判断する第１の判断手段と、
前記第１の判断手段により仮想ジョブと判断された場合、当該仮想ジョブを実行するために連携する複数の画像処理装置に関する情報と当該仮想ジョブのキャンセル指示を前記複数の画像処理装置に送信する際の順番とを取得する取得手段と、
前記取得手段により取得した順番に基づき、前記仮想ジョブのキャンセル指示を前記複数の画像処理装置のいずれかに送信する第１の送信手段とを備えることを特徴とする情報処理装置。
【請求項２】
前記第１の判断手段により仮想ジョブではないと判断された場合、キャンセル要求の対象となるジョブが処理されている画像処理装置に対してキャンセル指示を送信する第２の送信手段を更に備えることを特徴とする請求項１に記載の情報処理装置。
【請求項３】
ユーザに対して、自装置に投入されたジョブの情報の一覧を表示するための制御をおこうなう表示制御手段を更に備え、
前記第１の受信手段で受信したキャンセル要求の対象となるジョブは、前記表示制御手段により表示されたジョブの一覧表示からユーザに選択されたジョブであることを特徴とする請求項１または２に記載の情報処理装置。
【請求項４】
自装置に投入された仮想ジョブに係る全処理が終了した旨を自装置または外部から受信する第２の受信手段を更に備え、
前記表示制御手段は、前記第２の受信手段による前記仮想ジョブに係る全処理が終了した旨の受信に基づき、自装置に投入されている当該仮想ジョブの表示をキャンセル指示できないように表示することを特徴とする請求項３に記載の情報処理装置。
【請求項５】
前記仮想ジョブのキャンセル指示を前記複数の画像処理装置に送信する際の順番は、当該仮想ジョブの実行において連携する前記複数の画像処理装置のうち最後に処理を行う画像処理装置から最初に処理を行う画像処理装置の順であることを特徴とする請求項１乃至３のいずれか１項に記載の情報処理装置。
【請求項６】
前記仮想ジョブを実行する際に、連携する前記複数の画像処理装置の行う処理に対してキャンセル指示する際の優先順位が処理ごとに予め設定されており、
前記仮想ジョブのキャンセル指示を前記複数の画像処理装置に送信する際の順番は、前記設定されている優先順位に基づいて決定することを特徴とする請求項１乃至３のいずれか１項に記載の情報処理装置。
【請求項７】
自装置である情報処理装置は、前記仮想ジョブを実行する際に連携する複数の画像処理装置のいずれか１つであり、前記第１の送信手段または第２の送信手段においてキャンセル指示の送信の対象である画像処理装置が自装置であった場合、自装置に対してキャンセル指示を行い、
自装置におけるキャンセル指示または外部装置から送信されてきたキャンセル指示の対象となるジョブが前記仮想ジョブか否かを判断する第２の判断手段と、
前記第２の判断手段により仮想ジョブと判断された場合、当該仮想ジョブを自装置で処理中か否かを判断する第３の判断手段と、
前記第３の判断手段により前記仮想ジョブを自装置で処理中であると判断された場合、処理中の仮想ジョブをキャンセルするキャンセル手段と、
前記第３の判断手段により前記仮想ジョブを自装置で処理中でないと判断された場合、前記キャンセル指示に含まれる、前記仮想ジョブのキャンセル指示を前記複数の画像処理装置に送信する際の順番に基づき、自装置の次にキャンセル指示を送信すべき画像処理装置を決定する決定手段と、
前記決定手段により決定された画像処理装置に対して、前記仮想ジョブのキャンセル指示を送信する第３の送信手段とを更に備えることを特徴とする請求項２に記載の情報処理装置。
【請求項８】
情報処理装置における情報処理方法であって、
前記情報処理装置の第１の受信手段が、ユーザからのジョブのキャンセル要求を受信する第１の受信工程と、
前記情報処理装置の第１の判断手段が、前記第１の受信工程で受信したキャンセル要求の対象となるジョブが、複数の画像処理装置の機能を連携することにより処理される仮想ジョブか否かを判断する第１の判断工程と、
前記情報処理装置の取得手段が、前記第１の判断工程で仮想ジョブと判断された場合、当該仮想ジョブを実行するために連携する複数の画像処理装置に関する情報と当該仮想ジョブのキャンセル指示を前記複数の画像処理装置に送信する際の順番とを取得する取得工程と、
前記情報処理装置の第１の送信手段が、前記取得工程で取得した順番に基づき、前記仮想ジョブのキャンセル指示を前記複数の画像処理装置のいずれかに送信する第１の送信工程とを備えることを特徴とする情報処理方法。
【請求項９】
前記情報処理装置の第２の送信手段が、前記第１の判断工程で仮想ジョブではないと判断された場合、キャンセル要求の対象となるジョブが処理されている画像処理装置に対してキャンセル指示を送信する第２の送信工程を更に備えることを特徴とする請求項８に記載の情報処理方法。
【請求項１０】
前記情報処理装置の表示制御手段が、ユーザに対して、自装置に投入されたジョブの情報の一覧を表示するための制御をおこうなう表示制御工程を更に備え、
前記第１の受信工程で受信したキャンセル要求の対象となるジョブは、前記表示制御工程で表示されたジョブの一覧表示からユーザに選択されたジョブであることを特徴とする請求項８または９に記載の情報処理方法。
【請求項１１】
前記情報処理装置の第２の受信手段が、自装置に投入された仮想ジョブに係る全処理が終了した旨を自装置または外部から受信する第２の受信工程を更に備え、
前記表示制御工程では、前記第２の受信工程での前記仮想ジョブに係る全処理が終了した旨の受信に基づき、自装置に投入されている当該仮想ジョブの表示をキャンセル指示できないように表示することを特徴とする請求項１０に記載の情報処理方法。
【請求項１２】
前記仮想ジョブのキャンセル指示を前記複数の画像処理装置に送信する際の順番は、当該仮想ジョブの実行において連携する前記複数の画像処理装置のうち最後に処理を行う画像処理装置から最初に処理を行う画像処理装置の順であることを特徴とする請求項８乃至１０のいずれか１項に記載の情報処理方法。
【請求項１３】
前記情報処理装置の設定手段が、前記仮想ジョブを実行する際に、連携する前記複数の画像処理装置の行う処理に対してキャンセル指示する際の優先順位を処理ごとに予め設定する設定工程を更に備え、
前記仮想ジョブのキャンセル指示を前記複数の画像処理装置に送信する際の順番は、前記設定工程で設定された優先順位に基づいて決定することを特徴とする請求項８乃至１０のいずれか１項に記載の情報処理方法。
【請求項１４】
自装置である情報処理装置は、前記仮想ジョブを実行する際に連携する複数の画像処理装置のいずれか１つであり、前記第１の送信工程または第２の送信工程でのキャンセル指示の送信の対象である画像処理装置が自装置であった場合、自装置に対してキャンセル指示を行い、
前記情報処理装置の第２の判断手段が、自装置におけるキャンセル指示または外部装置から送信されてきたキャンセル指示の対象となるジョブが前記仮想ジョブか否かを判断する第２の判断工程と、
前記情報処理装置の第３の判断手段が、前記第２の判断工程で仮想ジョブと判断された場合、当該仮想ジョブを自装置で処理中か否かを判断する第３の判断工程と、
前記情報処理装置のキャンセル手段が、前記第３の判断工程で前記仮想ジョブを自装置で処理中であると判断された場合、処理中の仮想ジョブをキャンセルするキャンセル工程と、
前記情報処理装置の決定手段が、前記第３の判断工程で前記仮想ジョブを自装置で処理中でないと判断された場合、前記キャンセル指示に含まれる、前記仮想ジョブのキャンセル指示を前記複数の画像処理装置に送信する際の順番に基づき、自装置の次にキャンセル指示を送信すべき画像処理装置を決定する決定工程と、
前記情報処理装置の第３の送信手段が、前記決定工程で決定された画像処理装置に対して、前記仮想ジョブのキャンセル指示を送信する第３の送信工程とを更に備えることを特徴とする請求項９に記載の情報処理方法。
【請求項１５】
請求項８乃至１４のいずれか１項に記載の情報処理方法の工程をコンピュータに実行させるためのプログラム。
【請求項１６】
ジョブをキャンセルするためのキャンセル指示を受信する受信手段と、
前記受信手段で受信したキャンセル指示の対象となるジョブが複数の画像処理装置の機能を連携することにより実行される仮想ジョブか否かを判断する第２の判断手段と、
前記第２の判断手段により仮想ジョブと判断された場合、当該仮想ジョブを自装置で処理中か否かを判断する第３の判断手段と、
前記第３の判断手段により前記仮想ジョブを自装置で処理中であると判断された場合、処理中の仮想ジョブをキャンセルするキャンセル手段と、
前記第３の判断手段により前記仮想ジョブを自装置で処理中でないと判断された場合、前記キャンセル指示に含まれる、前記仮想ジョブのキャンセル指示を前記複数の画像処理装置に送信する際の順番に基づき、自装置の次にキャンセル指示を送信すべき自装置と異なる画像処理装置を決定する決定手段と、
前記決定手段により決定された自装置と異なる画像処理装置に対して、前記仮想ジョブのキャンセル指示を送信する第３の送信手段とを備えることを特徴とする画像処理装置。
【請求項１７】
前記キャンセル手段によりキャンセルした処理中の仮想ジョブにジョブの終端を示すエンドマークが含まれているか否かを判断する第４の判断手段を更に備え、
前記第４の判断手段により前記キャンセルした処理中の仮想ジョブにエンドマークが含まれている場合、該仮想ジョブのキャンセルを終了し、
前記第４の判断手段により前記キャンセルした処理中の仮想ジョブにエンドマークが含まれてない場合、前記決定手段により、前記キャンセル指示に含まれる、前記仮想ジョブのキャンセル指示を前記複数の画像処理装置に送信する際の順番に基づき、自装置の次にキャンセル指示を送信すべき自装置と異なる画像処理装置を決定し、前記第３の送信手段により、前記決定手段により決定された自装置と異なる画像処理装置に対して、前記仮想ジョブのキャンセル指示を送信することを特徴とする請求項１６に記載の画像処理装置。
【請求項１８】
画像処理装置における情報処理方法であって、
前記画像処理装置の受信手段が、ジョブをキャンセルするためのキャンセル指示を受信する受信工程と、
前記画像処理装置の第２の判断手段が、前記受信工程で受信したキャンセル指示の対象となるジョブが複数の画像処理装置の機能を連携することにより実行される仮想ジョブか否かを判断する第２の判断工程と、
前記画像処理装置の第３の判断手段が、前記第２の判断工程で仮想ジョブと判断された場合、当該仮想ジョブを自装置で処理中か否かを判断する第３の判断工程と、
前記画像処理装置のキャンセル手段が、前記第３の判断工程で前記仮想ジョブを自装置で処理中であると判断された場合、処理中の仮想ジョブをキャンセルするキャンセル工程と、
前記画像処理装置の決定手段が、前記第３の判断工程で前記仮想ジョブを自装置で処理中でないと判断された場合、前記キャンセル指示に含まれる、前記仮想ジョブのキャンセル指示を前記複数の画像処理装置に送信する際の順番に基づき、自装置の次にキャンセル指示を送信すべき自装置と異なる画像処理装置を決定する決定工程と、
前記画像処理装置の第３の送信手段が、前記決定工程で決定された自装置と異なる画像処理装置に対して、前記仮想ジョブのキャンセル指示を送信する第３の送信工程とを備えることを特徴とする情報処理方法。
【請求項１９】
前記画像処理装置の第４の判断手段が、前記キャンセル手段でキャンセルした処理中の仮想ジョブにジョブの終端を示すエンドマークが含まれているか否かを判断する第４の判断工程を更に備え、
前記第４の判断工程で前記キャンセルした処理中の仮想ジョブにエンドマークが含まれている場合、該仮想ジョブのキャンセルを終了し、
前記第４の判断工程で前記キャンセルした処理中の仮想ジョブにエンドマークが含まれてない場合、前記決定工程で、前記キャンセル指示に含まれる、前記仮想ジョブのキャンセル指示を前記複数の画像処理装置に送信する際の順番に基づき、自装置の次にキャンセル指示を送信すべき自装置と異なる画像処理装置を決定し、前記第３の送信工程で、前記決定工程で決定された自装置と異なる画像処理装置に対して、前記仮想ジョブのキャンセル指示を送信することを特徴とする請求項１８に記載の情報処理方法。
【請求項２０】
請求項１８または１９に記載の情報処理方法の工程をコンピュータに実行させるためのプログラム。
【請求項２１】
複数の画像処理装置の機能を連携することにより処理される仮想ジョブの発行に基づき、当該仮想ジョブを実行する際に連携する複数の画像処理装置に対して発行された仮想ジョブを示す情報を受信する受信手段と、
前記受信手段により受信した仮想ジョブを示す情報と自装置に投入されているジョブの情報とに基づき、ジョブの一覧を表示する表示制御手段と、
前記表示制御手段におけるジョブの一覧の表示に基づくユーザからの仮想ジョブのキャンセル要求を受信した際、当該仮想ジョブを自装置で処理中か否かを判断する第５の判断手段と、
前記第５の判断手段により前記仮想ジョブを自装置で処理中であると判断された場合、処理中の当該仮想ジョブをキャンセルするキャンセル手段と、
前記第５の判断手段により前記仮想ジョブを自装置で処理中でないと判断された場合、当該仮想ジョブを実行するために連携する複数の画像処理装置に関する情報と当該仮想ジョブのキャンセル指示を前記複数の画像処理装置に送信する際の順番とに基づき、キャンセル指示を送信すべき自装置と異なる画像処理装置を決定する決定手段と、
前記決定手段により決定された自装置と異なる画像処理装置に対して、前記仮想ジョブのキャンセル指示を送信する送信手段とを備えることを特徴とする画像処理装置。
【請求項２２】
前記キャンセル手段によりキャンセルした処理中の仮想ジョブにジョブの終端を示すエンドマークが含まれているか否かを判断する第６の判断手段を更に備え、
前記第６の判断手段により前記キャンセルした処理中の仮想ジョブにエンドマークが含まれている場合、該仮想ジョブのキャンセルを終了し、
前記第６の判断手段により前記キャンセルした処理中の仮想ジョブにエンドマークが含まれてない場合、前記決定手段により、当該仮想ジョブを実行するために連携する複数の画像処理装置に関する情報と当該仮想ジョブのキャンセル指示を前記複数の画像処理装置に送信する際の順番とに基づき、キャンセル指示を送信すべき自装置と異なる画像処理装置を決定し、前記送信手段により、前記決定手段により決定された自装置と異なる画像処理装置に対して、前記仮想ジョブのキャンセル指示を送信することを特徴とする請求項２１に記載の画像処理装置。
【請求項２３】
画像処理装置における情報処理方法であって
前記画像処理装置の受信手段が、複数の画像処理装置の機能を連携することにより処理される仮想ジョブの発行に基づき、当該仮想ジョブを実行する際に連携する複数の画像処理装置に対して発行された仮想ジョブを示す情報を受信する受信工程と、
前記画像処理装置の表示制御手段が、前記受信工程で受信した仮想ジョブを示す情報と自装置に投入されているジョブの情報とに基づき、ジョブの一覧を表示する表示制御工程と、
前記画像処理装置の第５の判断手段が、前記表示制御工程でのジョブの一覧の表示に基づくユーザからの仮想ジョブのキャンセル要求を受信した際、当該仮想ジョブを自装置で処理中か否かを判断する第５の判断工程と、
前記画像処理装置のキャンセル手段が、前記第５の判断工程で前記仮想ジョブを自装置で処理中であると判断された場合、処理中の当該仮想ジョブをキャンセルするキャンセル工程と、
前記画像処理装置の決定手段が、前記第５の判断工程で前記仮想ジョブを自装置で処理中でないと判断された場合、当該仮想ジョブを実行するために連携する複数の画像処理装置に関する情報と当該仮想ジョブのキャンセル指示を前記複数の画像処理装置に送信する際の順番とに基づき、キャンセル指示を送信すべき自装置と異なる画像処理装置を決定する決定工程と、
前記画像処理装置の送信手段が、前記決定工程で決定された自装置と異なる画像処理装置に対して、前記仮想ジョブのキャンセル指示を送信する送信工程とを備えることを特徴とする情報処理方法。
【請求項２４】
前記画像処理装置の第６の判断手段が、前記キャンセル工程でキャンセルした処理中の仮想ジョブにジョブの終端を示すエンドマークが含まれているか否かを判断する第６の判断工程を更に備え、
前記第６の判断工程で前記キャンセルした処理中の仮想ジョブにエンドマークが含まれている場合、該仮想ジョブのキャンセルを終了し、
前記第６の判断工程で前記キャンセルした処理中の仮想ジョブにエンドマークが含まれてない場合、前記決定工程で、当該仮想ジョブを実行するために連携する複数の画像処理装置に関する情報と当該仮想ジョブのキャンセル指示を前記複数の画像処理装置に送信する際の順番とに基づき、キャンセル指示を送信すべき自装置と異なる画像処理装置を決定し、前記送信工程で、前記決定工程で決定された自装置と異なる画像処理装置に対して、前記仮想ジョブのキャンセル指示を送信することを特徴とする請求項２３に記載の情報処理方法。
【請求項２５】
請求項２３または２４に記載の情報処理方法の工程をコンピュータに実行させるためのプログラム。
【手続補正２】
【補正対象書類名】明細書
【補正対象項目名】００１１
【補正方法】変更
【補正の内容】
【００１１】
この課題を解決するために、本発明の情報処理装置は、ユーザからのジョブのキャンセル要求を受信する第１の受信手段と、前記第１の受信手段で受信したキャンセル要求の対象となるジョブが、複数の画像処理装置の機能を連携することにより処理される仮想ジョブか否かを判断する第１の判断手段と、前記第１の判断手段により仮想ジョブと判断された場合、当該仮想ジョブを実行するために連携する複数の画像処理装置に関する情報と当該仮想ジョブのキャンセル指示を前記複数の画像処理装置に送信する際の順番とを取得する取得手段と、前記取得手段により取得した順番に基づき、前記仮想ジョブのキャンセル指示を前記複数の画像処理装置のいずれかに送信する第１の送信手段とを備えることを特徴とする。
【手続補正３】
【補正対象書類名】明細書
【補正対象項目名】００１２
【補正方法】変更
【補正の内容】
【００１２】
ここで、前記第１の判断手段により仮想ジョブではないと判断された場合、キャンセル要求の対象となるジョブが処理されている画像処理装置に対してキャンセル指示を送信する第２の送信手段を更に備える。また、ユーザに対して、自装置に投入されたジョブの情報の一覧を表示するための制御をおこうなう表示制御手段を更に備え、前記第１の受信手段で受信したキャンセル要求の対象となるジョブは、前記表示制御手段により表示されたジョブの一覧表示からユーザに選択されたジョブである。また、自装置に投入された仮想ジョブに係る全処理が終了した旨を自装置または外部から受信する第２の受信手段を更に備え、前記表示制御手段は、前記第２の受信手段による前記仮想ジョブに係る全処理が終了した旨の受信に基づき、自装置に投入されている当該仮想ジョブの表示をキャンセル指示できないように表示する。また、前記仮想ジョブのキャンセル指示を前記複数の画像処理装置に送信する際の順番は、当該仮想ジョブの実行において連携する前記複数の画像処理装置のうち最後に処理を行う画像処理装置から最初に処理を行う画像処理装置の順である。また、前記仮想ジョブを実行する際に、連携する前記複数の画像処理装置の行う処理に対してキャンセル指示する際の優先順位が処理ごとに予め設定されており、前記仮想ジョブのキャンセル指示を前記複数の画像処理装置に送信する際の順番は、前記設定されている優先順位に基づいて決定する。また、自装置である情報処理装置は、前記仮想ジョブを実行する際に連携する複数の画像処理装置のいずれか１つであり、前記第１の送信手段または第２の送信手段においてキャンセル指示の送信の対象である画像処理装置が自装置であった場合、自装置に対してキャンセル指示を行い、自装置におけるキャンセル指示または外部装置から送信されてきたキャンセル指示の対象となるジョブが前記仮想ジョブか否かを判断する第２の判断手段と、前記第２の判断手段により仮想ジョブと判断された場合、当該仮想ジョブを自装置で処理中か否かを判断する第３の判断手段と、前記第３の判断手段により前記仮想ジョブを自装置で処理中であると判断された場合、処理中の仮想ジョブをキャンセルするキャンセル手段と、前記第３の判断手段により前記仮想ジョブを自装置で処理中でないと判断された場合、前記キャンセル指示に含まれる、前記仮想ジョブのキャンセル指示を前記複数の画像処理装置に送信する際の順番に基づき、自装置の次にキャンセル指示を送信すべき画像処理装置を決定する決定手段と、前記決定手段により決定された画像処理装置に対して、前記仮想ジョブのキャンセル指示を送信する第３の送信手段とを備える。
【手続補正４】
【補正対象書類名】明細書
【補正対象項目名】００１３
【補正方法】変更
【補正の内容】
【００１３】
また、本発明の情報処理方法は、情報処理装置における情報処理方法であって、前記情報処理装置の第１の受信手段が、ユーザからのジョブのキャンセル要求を受信する第１の受信工程と、前記情報処理装置の第１の判断手段が、前記第１の受信工程で受信したキャンセル要求の対象となるジョブが、複数の画像処理装置の機能を連携することにより処理される仮想ジョブか否かを判断する第１の判断工程と、前記情報処理装置の取得手段が、前記第１の判断工程で仮想ジョブと判断された場合、当該仮想ジョブを実行するために連携する複数の画像処理装置に関する情報と当該仮想ジョブのキャンセル指示を前記複数の画像処理装置に送信する際の順番とを取得する取得工程と、前記情報処理装置の第１の送信手段が、前記取得工程で取得した順番に基づき、前記仮想ジョブのキャンセル指示を前記複数の画像処理装置のいずれかに送信する第１の送信工程とを備えることを特徴とする。
【手続補正５】
【補正対象書類名】明細書
【補正対象項目名】００１５
【補正方法】変更
【補正の内容】
【００１５】
ここで、前記キャンセル手段によりキャンセルした処理中の仮想ジョブにジョブの終端を示すエンドマークが含まれているか否かを判断する第４の判断手段を更に備え、前記第４の判断手段により前記キャンセルした処理中の仮想ジョブにエンドマークが含まれている場合、該仮想ジョブのキャンセルを終了し、前記第４の判断手段により前記キャンセルした処理中の仮想ジョブにエンドマークが含まれてない場合、前記決定手段により、前記キャンセル指示に含まれる、前記仮想ジョブのキャンセル指示を前記複数の画像処理装置に送信する際の順番に基づき、自装置の次にキャンセル指示を送信すべき自装置と異なる画像処理装置を決定し、前記第３の送信手段により、前記決定手段により決定された自装置と異なる画像処理装置に対して、前記仮想ジョブのキャンセル指示を送信する。
【手続補正６】
【補正対象書類名】明細書
【補正対象項目名】００１６
【補正方法】変更
【補正の内容】
【００１６】
また、本発明の情報処理方法は、画像処理装置における情報処理方法であって、前記画像処理装置の受信手段が、ジョブをキャンセルするためのキャンセル指示を受信する受信工程と、前記画像処理装置の第２の判断手段が、前記受信工程で受信したキャンセル指示の対象となるジョブが複数の画像処理装置の機能を連携することにより実行される仮想ジョブか否かを判断する第２の判断工程と、前記画像処理装置の第３の判断手段が、前記第２の判断工程で仮想ジョブと判断された場合、当該仮想ジョブを自装置で処理中か否かを判断する第３の判断工程と、前記画像処理装置のキャンセル手段が、前記第３の判断工程で前記仮想ジョブを自装置で処理中であると判断された場合、処理中の仮想ジョブをキャンセルするキャンセル工程と、前記画像処理装置の決定手段が、前記第３の判断工程で前記仮想ジョブを自装置で処理中でないと判断された場合、前記キャンセル指示に含まれる、前記仮想ジョブのキャンセル指示を前記複数の画像処理装置に送信する際の順番に基づき、自装置の次にキャンセル指示を送信すべき自装置と異なる画像処理装置を決定する決定工程と、前記画像処理装置の第３の送信手段が、前記決定工程で決定された自装置と異なる画像処理装置に対して、前記仮想ジョブのキャンセル指示を送信する第３の送信工程とを更に備えることを特徴とする。
【手続補正７】
【補正対象書類名】明細書
【補正対象項目名】００１８
【補正方法】変更
【補正の内容】
【００１８】
ここで、前記キャンセル手段によりキャンセルした処理中の仮想ジョブにジョブの終端を示すエンドマークが含まれているか否かを判断する第６の判断手段を更に備え、前記第６の判断手段により前記キャンセルした処理中の仮想ジョブにエンドマークが含まれている場合、該仮想ジョブのキャンセルを終了し、前記第６の判断手段により前記キャンセルした処理中の仮想ジョブにエンドマークが含まれてない場合、前記決定手段により、当該仮想ジョブを実行するために連携する複数の画像処理装置に関する情報と当該仮想ジョブのキャンセル指示を前記複数の画像処理装置に送信する際の順番とに基づき、キャンセル指示を送信すべき自装置と異なる画像処理装置を決定し、前記送信手段により、前記決定手段により決定された自装置と異なる画像処理装置に対して、前記仮想ジョブのキャンセル指示を送信する。
【手続補正８】
【補正対象書類名】明細書
【補正対象項目名】００１９
【補正方法】変更
【補正の内容】
【００１９】
また、本発明の情報処理方法は、画像処理装置における情報処理方法であって前記画像処理装置の受信手段が、複数の画像処理装置の機能を連携することにより処理される仮想ジョブの発行に基づき、当該仮想ジョブを実行する際に連携する複数の画像処理装置に対して発行された仮想ジョブを示す情報を受信する受信工程と、前記画像処理装置の表示制御手段が、前記受信工程で受信した仮想ジョブを示す情報と自装置に投入されているジョブの情報とに基づき、ジョブの一覧を表示する表示制御工程と、前記画像処理装置の第５の判断手段が、前記表示制御工程でのジョブの一覧の表示に基づくユーザからの仮想ジョブのキャンセル要求を受信した際、当該仮想ジョブを自装置で処理中か否かを判断する第５の判断工程と、前記画像処理装置のキャンセル手段が、前記第５の判断工程で前記仮想ジョブを自装置で処理中であると判断された場合、処理中の当該仮想ジョブをキャンセルするキャンセル工程と、前記画像処理装置の決定手段が、前記第５の判断工程で前記仮想ジョブを自装置で処理中でないと判断された場合、当該仮想ジョブを実行するために連携する複数の画像処理装置に関する情報と当該仮想ジョブのキャンセル指示を前記複数の画像処理装置に送信する際の順番とに基づき、キャンセル指示を送信すべき自装置と異なる画像処理装置を決定する決定工程と、前記画像処理装置の送信手段が、前記決定工程で決定された自装置と異なる画像処理装置に対して、前記仮想ジョブのキャンセル指示を送信する送信工程とを備えることを特徴とする。